(57)【要約】【課題】  最適な量の次亜塩素酸成分で、除菌・殺菌及び消臭効果を呈することができる電解水噴霧方法を提供する。【解決手段】本発明の電解水噴霧方法は、電解質を添加した原水を電気分解することにより生成された酸性電解水とアルカリ性電解水とを混合し、酸性電解水由来の塩素成分とアルカリ性電解水由来のアルカリ成分のモル比（塩化ナトリウム換算）が８０：２０〜５５：４５の割合である噴霧用電解水を空間に噴霧するようにした。【選択図】  図１
2016010528.tif 000002
【特許請求の範囲】
【請求項１】
電解質を添加した原水を電気分解することにより生成された酸性電解水とアルカリ性電解水とを混合し、酸性電解水由来の塩素成分とアルカリ性電解水由来のアルカリ成分のモル比（塩化ナトリウム換算）が８０：２０〜５５：４５の割合である噴霧用電解水を空間に噴霧する
ことを特徴とする電解水噴霧方法。
【請求項２】
前記噴霧用電解水は、
閉鎖空間において噴霧される
ことを特徴とする請求項２に記載の電解水噴霧方法。
【請求項３】
前記閉鎖空間は、
車両や航空機、病室、手術室、トイレ、倉庫など人間が立ち入る空間である
ことを特徴とする請求項３に記載の電解水噴霧方法。
【請求項４】
前記電解質は、
食塩である
ことを特徴とする請求項１に記載の電解水噴霧方法。
【請求項５】
前記噴霧用電解水は、
前記閉鎖空間において、１０ｐｐｍの塩素濃度換算として体積１立方メートル当たり、２ｍｌ／ｈｒ以上の濃度で噴霧される
ことを特徴とする請求項１に記載の電解水噴霧方法。
【請求項６】
前記噴霧用電解水は、
前記閉鎖空間において、１０ｐｐｍの塩素濃度換算として体積１立方メートル当たり、３０ｍｌ／ｈｒ未満の濃度で噴霧される
ことを特徴とする請求項５に記載の電解水噴霧方法。
【請求項７】
前記噴霧用電解水は、
前記閉鎖空間において一時的に噴霧され、１０ｐｐｍの残留塩素濃度換算として体積１立方メートル当たり、トータルで１０〜１００ｍｌ噴霧される
を有することを特徴とする請求項６に記載の電解水噴霧方法。
【請求項８】
前記塩素成分の濃度が
２ｐｐｍ〜３０ｐｐｍである
ことを特徴とする請求項１に記載の電解水噴霧方法。
【請求項９】
噴霧されるのに使用される噴霧用電解水であって、
電解質を添加した原水を電気分解することにより生成された酸性電解水とアルカリ性電解水とを混合して生成され、酸性電解水由来の塩素成分とアルカリ性電解水由来のアルカリ水電解質成分のモル比が８０：３０〜５５：４５の割合である
ことを特徴とする噴霧用電解水。
【請求項１０】
残留塩素濃度が
２ｐｐｍ〜３０ｐｐｍである
ことを特徴とする請求項１に記載の噴霧用電解水。
【発明の詳細な説明】
【技術分野】
【０００１】
本発明は、例えばバスや航空機などの居住スペースに用いられる電解水噴霧方法置に関するものである。
【背景技術】
【０００２】
従来、洗浄などの分野において、電解水生成装置が広く用いられている（例えば特許文献１参照）。
【０００３】
酸性を呈する電解水は、除菌効果を有することから、例えば家畜などの舎屋に噴霧したり、野菜や卵の洗浄などに広く使用されている。特に塩素系の酸性電解水は除菌・殺菌力に優れており、食品衛生法において殺菌料（次亜塩素酸水）として厚生労働省から認可されている。
【先行技術文献】
【特許文献】
【０００４】
【特許文献１】特開２００９−２６８９９７号公報
【発明の概要】
【発明が解決しようとする課題】
【０００５】
ところで、塩素系の酸性電解水は、除菌・殺菌力に優れるものの、次亜塩素酸特有の臭いがあり、人によっては長時間に亘って接触すると気分が悪くなってしまう場合があるという問題があった。
【０００６】
本発明はこのような問題を解決するためになされたもので、その目的は、ほぼ無臭であっても除菌・殺菌効果を呈する電解水の噴霧方法及び噴霧用電解水を提供するものである。
【課題を解決するための手段】
【０００７】
かかる課題を解決するため、本発明の電解水噴霧方法においては、電解質を添加した原水を電気分解することにより生成された酸性電解水とアルカリ性電解水とを混合し、酸性電解水由来の塩素成分とアルカリ性電解水由来のアルカリ成分のモル比（塩化ナトリウム換算）が８０：２０〜５５：４５の割合である噴霧用電解水を空間に噴霧する。
【０００８】
これにより、電解水噴霧方法では、酸性電解水とアルカリ性電解水の混合比率を調整することにより、ほぼ無臭でありながら、十分な除菌・殺菌力を呈することができる。
【０００９】
さらに、本発明の噴霧用電解水は、噴霧されるのに使用され、電解質を添加した原水を電気分解することにより生成された酸性電解水とアルカリ性電解水とを混合して生成され、酸性電解水由来の塩素成分とアルカリ性電解水由来のアルカリ水電解質成分のモル比が８０：３０〜５５：４５の割合である。
【００１０】
これにより、噴霧用電解水では、酸性電解水とアルカリ性電解水の混合比率を調整することにより、ほぼ無臭でありながら、十分な除菌・殺菌力を呈することができる。
【発明の効果】
【００１１】
本発明は、ほぼ無臭でありながら、十分な除菌・殺菌力を呈することができる電解水噴霧方法及び噴霧用電解水を提供できる。
【００１２】
本発明は、洗浄効果を向上することができる。
【図面の簡単な説明】
【００１３】
【図１】電解水噴霧の手順を示す略線図である。
【図２】電解水噴霧装置の構成を示す略線図である。
【発明を実施するための形態】
【００１４】
次に本発明を実施するための形態について図面を参照して説明する。
【００１５】
一般的に、塩素系の酸性電解水は、除菌・殺菌効果を有するため、食品などの洗浄用途や、家畜舎などの感染病予防用途に使用される。
【００１６】
しかしながら、酸性電解水に含有される塩素濃度は例えば１０〜６０ｐｐｍ程度とさほど高くない。このように低い塩素濃度の酸性電解水が除菌・殺菌効果を呈するメカニズムは未だ解明されていない。
【００１７】
ところで、塩素系の酸性電解水は、低いとはいえ次亜塩素酸の状態で塩素を含有し、わずかではあるが塩素臭を呈する。
【００１８】
この酸性電解水の塩素臭は、洗浄などのために水の状態で使用する分にはさほど気にならないレベルである。しかしながら、酸性電解水をミスト状に噴霧すると、人体の鼻腔との接触率が増大して塩素臭が大きくなってしまい、人によっては気分が悪くなってしまう場合が生じてしまう。
【００１９】
もちろん、塩素濃度を低下させれば、それに従って塩素臭も小さくなるが、むやみに塩素濃度を低下させると除菌・殺菌効果も低下してしまう。
【００２０】
本願発明人は、塩素系の酸性電解水に対してアルカリ性電解水を所定の割合で混合することにより、噴霧した場合であっても、塩素臭が殆どなく、かつ十分な除菌・殺菌効果を呈する噴霧用電解水を生成できることを見出した。
【００２１】
本発明の噴霧用電解水は、塩素系の酸性電解水とアルカリ性電解水とを混合することにより生成する。
【００２２】
塩素系の酸性電解水とは、塩化ナトリウム（食塩）や塩化カリウムなどの塩素化合物を電解質とする水溶液を電気分解したものであり、塩素濃度が３０〜６０ｐｐｍ程度のいわゆる強酸性の電解水である。
【００２３】
アルカリ性電解水とは、ナトリウムやカリウムなどのアルカリ塩を有する電解質を電解質とする水溶液を電気分解したものであり、アルカリ塩濃度が３０〜１５０ｐｐｍ程度のいわゆる強アルカリ性の電解水である。
【００２４】
混合する酸性電解水及びアルカリ性電解水は、同時に生成されたものでもよく、また別々に生成されたものでもよい。同時に生成された酸性電解水及びアルカリ性電解水を用いることにより、電解水を無駄なく利用することができる。
【００２５】
噴霧用電解水は、酸性電解水由来の塩素成分とアルカリ性電解水由来のアルカリ成分とを８０：２０〜５５：４５のモル比（塩化ナトリウム換算）で含有するものである。これにより、噴霧用電解水は、塩素臭が殆どなく、かつ十分な除菌・殺菌効果が得られる。
【００２６】
より好ましくは、７０：３０〜６０：４０である。敏感な人でも塩素臭を感じにくく、安定した除菌・殺菌効果を得られるからである。
【００２７】
また、噴霧用電解水は、除菌・殺菌効果だけでなく、消臭効果も呈する。一般的に、臭いを放つ物質は、プラス又はマイナスの電荷を帯びている。噴霧用電解水は、塩素成分に加えてアルカリ成分を含有するため、プラスだけでなくマイナスの電荷を帯びている物質にも作用することができ、消臭効果を著しく向上させ得る。
【００２８】
ここで、酸性電解水由来の塩素成分とは、次亜塩素酸や塩素イオンとして電解水中に溶解した存在する全塩素成分をいう。また、アルカリ性電解水由来のアルカリ成分とは、ナトリウムやカリウムなどが電解水中に溶解した存在する全アルカリ成分をいう。塩素成分とアルカリ成分の割合は、イオン等価比である。
【００２９】
すなわち、アルカリ成分が１価のナトリウムであった場合には、塩素原子の数とナトリウム原子の数は等価である。一方、アルカリ成分が２価のカルシウムであった場合には、塩素原子が２に対し、カルシウム原子が１で等価となる。
【００３０】
次に、噴霧用電解水の噴霧について説明する。
【００３１】
噴霧用電解水の噴霧方法としては、特に制限はない。例えば超音波や加熱、風によって気化させたり、霧状にスプレーすることによってミストを形成することにより、噴霧用電解水を空間に噴霧させる。
【００３２】
噴霧させる空間は、空間の５０％〜９０％（５０％以上９０％未満、以下同様の意味で〜を使用する）が閉鎖された半閉鎖空間であっても構わないが、空間の９０％以上が閉鎖された閉鎖空間であることがより好ましい。噴霧用電解水の除菌・殺菌及び消臭効果を十分に発揮させ得るからである。
【００３３】
噴霧される空間は、人間や家畜などの動物が頻繁に出入り若しくは居住する空間であることが好ましい。除菌・殺菌及び消臭効果を発揮しつつ無臭なため、人間や動物の健康を維持する効果を発揮できるからである。
【００３４】
閉鎖空間において噴霧用電解水は、例えば路線バスやイベント会場など、常に人や動物が存在する居住スペースにおいて、常時噴霧されても良い。また、観光バスや航空機などにおいて、居住スペースが一旦無人なるときにだけ一時噴霧されても良い。
【００３５】
閉鎖空間において噴霧用電解水は、常時噴霧される場合には、１０ｐｐｍの塩素濃度換算で体積１立方メートル当たり２ｍｌ〜３０ｍｌ／ｈｒ噴霧されることが好ましい。除菌・殺菌及び消臭効果を十分に発揮しつつ、飛散する塩素の量を抑制し、その場にいる人間や動物の健康に影響を与えないようにするためである。
【００３６】
閉鎖空間において噴霧用電解水は、一時噴霧される場合には、１０ｐｐｍの塩素濃度換算で体積１立方メートル当たり１０ｍｌ〜１００ｍｌ噴霧されることが好ましい。短時間の噴霧において除菌・殺菌及び消臭効果を十分に発揮しつつ、居住スペースに残留する噴霧用電解水の量を一定に抑えるためである。
【００３７】
また、図１には、酸性及びアルカリ性電解水の生成から噴霧用電解水の生成、噴霧までを一貫して行う電解水噴霧装置１の構成を示している。
【００３８】
電解水噴霧装置１は、全体を統括制御する制御部１１が、電解水生成部１２、電解水混合部１３及び電解水噴霧部１４を制御している。
【００３９】
電解水生成部１２は、電解質を溶解した水溶液を電気分解して酸性及びアルカリ性電解水を生成し、電解水混合部１３に供給する。電解水生成部１２としては、公知の構成を使用することができ、例えば２槽又は３槽式のものを用いることができる。
【００４０】
電解水混合部１３は、酸性電解水とアルカリ性電解水を予め設定された割合で混合し、噴霧用電解水を生成し、電解水噴霧部１４に供給する。例えば、制御部１１は、電解水生成部１２における酸性電解槽及びアルカリ性電解槽から電解水混合部１３に接続された配管に予め設置された弁の開放面積や開放時間などを調整することにより、酸性電解水とアルカリ性電解水の割合を調整する。
【００４１】
電解水噴霧部１４は、設定された噴霧量及び時間だけ、噴霧用電解水を噴霧するようになされている。
【実施例】
【００４２】
（１）噴霧用電解水の調整
下記の条件で噴霧用電解水を調整した。なお、酸性電解水はｐＨ２．８、塩素濃度が６０ｐｐｍ、アルカリ性電解水はｐＨ１２．０のものをそれぞれ使用した。
【００４３】
酸性電解水０．８リットル、アルカリ性電解水０．１リットルを加えて撹拌し、さらに精製水０．７リットルを加えて撹拌したものを噴霧用電解水１とした。噴霧用電解水１の塩素濃度は、約３０ｐｐｍであった。
【００４４】
酸性電解水０．６リットル、アルカリ性電解水０．２リットルを加えて撹拌し、さらに精製水２．８リットルを加えて撹拌したものを噴霧用電解水２とした。噴霧用電解水２の塩素濃度は約１０ｐｐｍであった。
【００４５】
酸性電解水０．６リットル、アルカリ性電解水０．２リットルを加えて撹拌し、さらに精製水３．６リットルを加えて撹拌したものを噴霧用電解水３とした。
【００４６】
（２）脱臭試験
検体及び噴霧用電解水をそれぞれにおい袋に入れ、ヒートシールを施した後、空気３リットルを封入し、設定した初期ガス濃度になるよう試験対象ガス（臭い物質）を添加した。所定時間（１０分、３０分、６０分、１２０分、１８０分）ににおい袋内の試験対象ガスの濃度を測定した。なお、表中では、噴霧用電解水１及び２を検体１）及び検体２）として表記している。
【００４７】
試験対象ガスとしては、アンモニア、トリメチルアミン、メチルメルカプタンを使用した。アンモニア、トリメチルアミン、メチルメルカプタンドの濃度についてはガス検知管を使って測定を行った。
【００４８】
【表１】
2016010528.tif 000003
【００４９】
【表２】
2016010528.tif 000004
【００５０】
【表３】
2016010528.tif 000005
【００５１】
表１〜表３からわかるように、いずれの臭い物質に対しても、噴霧用電解水は消臭効果を示すことが確認された。
【００５２】
（３）除菌効果試験
クリーンチャンバー（２６立方メートル）内にて、細菌及びウイルスを浮遊させ、噴霧用電解水を下記の条件で噴霧して、０分後と３０分後に室内空気を一定量採取し、培養させ、菌及びウイルスの有無を確認した。
【００５３】
噴霧用電解水として、（１）で調整した噴霧用電解水１及び３を使用し、２６０ｍｌ／ｈｒの濃度で噴霧した。また、参照実験として、精製水及び噴霧を行わない自然減衰についても同様に確認した。
【００５４】
自然減衰及び精製水を噴霧した場合、ウイルスは３０分後に１／４程度にまで減少を見せた。自然減衰及び精製水との間に差異は見られなかった。これに対し、噴霧用電解水１及び３を噴霧した場合には、いずれも３０分後にウイルスは検出されなかった。
【００５５】
自然減衰の場合、細菌は３０分後に１／４程度にまで減少を見せた。精製水を噴霧した場合、３０分後に１／２０にまで減少した。これに対し、噴霧用電解水１及び３を噴霧した場合には、いずれも３０分後に細菌は検出されなかった。
【００５６】
すなわち、１噴霧用電解水１及び３を１０ｍｌ／ｈｒで噴霧することにより、ウイルス及び細菌のいずれについても、除菌効果が得られることが確認された。
【００５７】
以上の構成によれば、図２のフローチャートＲＴ１に示すように、本発明の電解水噴霧方法では、ステップＳＰ１において電解質を添加した原水を電気分解することにより酸性電解水とアルカリ性電解水とを生成する。
【００５８】
ステップＳＰ２において、電解水噴霧方法では、酸性電解水とアルカリ性電解水とを混合し、酸性電解水由来の塩素成分とアルカリ性電解水由来のアルカリ成分のモル比（塩化ナトリウム換算）が８０：２０〜５５：４５の割合である噴霧用電解水を生成する。
【００５９】
そしてステップＳＰ３において、電解水噴霧方法では、ステップＳＰ２において生成した噴霧用電解水を空間に噴霧するようにした。
【００６０】
これにより、本願の電解水噴霧方法では、除菌・殺菌効果を殆ど低下させることなく、無臭の状態で電解水を噴霧することが可能となった。また、本願の電解水噴霧方法では、酸性電解水とアルカリ性電解水の相乗効果により、消臭効果を向上させることが可能となった。
【００６１】
この結果、本願の電解水噴霧方法は、最適な量の次亜塩素酸成分で、安全性を確保しつつ、除菌・殺菌及び消臭効果を呈することができる。
【００６２】
噴霧用電解水が、閉鎖空間において噴霧されることにより、電解水を噴霧する効果を高めることができる。
【００６３】
閉鎖空間は、車両や航空機、病室、手術室、トイレ、倉庫など人間が立ち入る空間である。これにより、本願の電解水噴霧方法は、人体への影響が極めて少なく、除菌・殺菌及び消臭効果を得ることができるという効果を最大限発揮することができる。
【００６４】
電解質は、食塩であることにより、安価で安全な噴霧用電解水を提供できる。
【００６５】
噴霧用電解水は、閉鎖空間において、１０ｐｐｍの塩素濃度換算として体積１立方メートル当たり、２ｍｌ／ｈｒ以上の濃度で噴霧されることにより、十分な除菌・殺菌及び消臭効果を得ることができる。
【００６６】
噴霧用電解水は、閉鎖空間において、１０ｐｐｍの塩素濃度換算として体積１立方メートル当たり、１００ｍｌ／ｈｒ未満の濃度で噴霧されることにより、殆どの人が塩素臭を感じることがない。
【００６７】
噴霧用電解水は、閉鎖空間において一時的に噴霧され、１０ｐｐｍの残留塩素濃度換算として体積１立方メートル当たり、トータルで５〜２０ｍｌ噴霧される。これにより、噴霧後、長時間に亘って十分な除菌・殺菌及び消臭効果を得ることができる。
【００６８】
噴霧する塩素成分（塩素イオン及び次亜塩素酸として存在する塩素由来の成分）の濃度が５ｐｐｍ〜３０ｐｐｍである。
【００６９】
以上の構成によれば、本発明の電解水噴霧方法は、電解質を添加した原水を電気分解することにより生成された酸性電解水とアルカリ性電解水とを混合し、酸性電解水由来の塩素成分とアルカリ性電解水由来のアルカリ成分のモル比（塩化ナトリウム換算）が８０：２０〜５５：４５の割合である噴霧用電解水を空間に噴霧するようにした。
【産業上の利用可能性】
【００７０】
本発明は、例えばバスや航空機などの居住スペースに適用することができる。
【符号の説明】
【００７１】
１１・・・・・・制御部
１２・・・・・・電解水生成部
１３・・・・・・電解水混合部
１４・・・・・・電解水噴霧部
【図１】
2016010528.tif 000006
【図２】
2016010528.tif 000007